【手続補正書】
【提出日】平成28年1月25日(2016.1.25)
【手続補正１】
【補正対象書類名】特許請求の範囲
【補正対象項目名】全文
【補正方法】変更
【補正の内容】
【特許請求の範囲】
【請求項１】
変形可能なシート状の第１の導体層と、
前記第１の導体層に対向して配置される第２の導体層と、
複数の第１の電極線と、前記複数の第１の電極線に対向して配置され前記複数の第１の電極線と交差する複数の第２の電極線とを有し、前記第１及び第２の導体層の間に変形可能に配置された電極基板と、
前記第１の導体層と前記電極基板との間を接続する複数の第１の構造体を有する第１の支持体と、
前記第２の導体層と前記電極基板との間を接続する複数の第２の構造体を有する第２の支持体と
を具備するセンサ装置。
【請求項２】
変形可能なシート状の第１の導体層と、
前記第１の導体層に対向して配置される第２の導体層と、
複数の第１の電極線と、前記複数の第１の電極線に対向して配置され前記複数の第１の電極線と交差する複数の第２の電極線とを有し、前記第１及び第２の導体層の間に変形可能に配置され、前記第１及び第２の導体層各々との距離の変化を静電的に検出することが可能な電極基板と、
前記第１の導体層と前記電極基板との間を接続する複数の第１の構造体と、前記複数の第１の構造体の間に形成された第１の空間部とを有する第１の支持体と、
隣り合う前記複数の第１の構造体間にそれぞれ配置され前記第２の導体層と前記電極基板との間を接続する複数の第２の構造体と、前記複数の第２の構造体の間に形成された第２の空間部とを有する第２の支持体と
を具備するセンサ装置。
【請求項３】
請求項１又は２に記載のセンサ装置であって、
前記電極基板は、前記複数の第１の電極線と前記複数の第２の電極線との交差領域に各々形成され、前記第１及び第２の導体層各々との相対距離に応じて容量が可変の複数の検出部をさらに有する
センサ装置。
【請求項４】
請求項３に記載のセンサ装置であって、
前記複数の検出部は、前記複数の第１の構造体各々と対向してそれぞれ形成される
センサ装置。
【請求項５】
請求項３に記載のセンサ装置であって、
前記複数の検出部は、前記複数の第２の構造体各々と対向してそれぞれ形成される
センサ装置。
【請求項６】
請求項１〜５のいずれか１つに記載のセンサ装置であって、
前記第１の支持体は、前記第１の導体層と前記電極基板との間を接続し前記電極基板の周縁に沿って配置される第１の枠体を有し、
前記第２の支持体は、前記第２の導体層と前記電極基板との間を接続し前記第１の枠体と対向して配置される第２の枠体を有する
センサ装置。
【請求項７】
請求項１〜６のいずれか１つに記載のセンサ装置であって、
前記第２の導体層は、段差部を有する
センサ装置。
【請求項８】
請求項１に記載のセンサ装置であって、
前記電極基板は、前記第１及び第２の導体層各々との距離の変化を静電的に検出することが可能に構成される
センサ装置。
【請求項９】
請求項１又は８に記載のセンサ装置であって、
前記第１の支持体は、
前記複数の第１の構造体の間に形成された第１の空間部をさらに有する
センサ装置。
【請求項１０】
請求項１、８又は９に記載のセンサ装置であって、
前記第２の支持体は、
前記複数の第２の構造体の間に形成された第２の空間部をさらに有する
センサ装置。
【請求項１１】
請求項１、２、８〜１０のいずれか１つに記載のセンサ装置であって、
前記複数の第１の電極線各々は、複数の第１のサブ電極をそれぞれ含む複数の第１の単位電極体を有し、
前記複数の第２の電極線各々は、複数の第２のサブ電極をそれぞれ含み前記複数の第１の単位電極体各々と対向する複数の第２の単位電極体を有し、
前記電極基板は、
前記複数の第１の電極線と前記複数の第２の電極線とが配置された基材と、
各第１の単位電極体の前記複数の第１のサブ電極と各第２の単位電極体の前記複数の第２のサブ電極とが前記電極基板の面内方向に相互に対向する複数の検出部とを有する
センサ装置。
【請求項１２】
ユーザによる操作を受け付ける第１の面と、前記第１の面の反対側の第２の面とを有する変形可能なシート状の操作部材と、
前記第２の面に対向して配置される第１の導体層と、
複数の第１の電極線と、前記複数の第１の電極線に対向して配置され前記第１の電極と交差する複数の第２の電極線とを有し、前記操作部材と前記導体層の間に変形可能に配置された電極基板と、
前記操作部材と前記電極基板との間を接続する複数の第１の構造体を有する第１の支持体と、
前記導体層と前記電極基板との間を接続する複数の第２の構造体を有する第２の支持体と
を具備する入力装置。
【請求項１３】
ユーザによる操作を受け付ける第１の面と、前記第１の面の反対側の第２の面とを有する変形可能なシート状の操作部材と、
前記第２の面に対向して配置される導体層と、
複数の第１の電極線と、前記複数の第１の電極線に対向して配置され前記第１の電極線と交差する複数の第２の電極線とを有し、前記操作部材と前記導体層の間に変形可能に配置され、前記導体層との距離の変化を静電的に検出することが可能な電極基板と、
前記操作部材と前記電極基板との間を接続する複数の第１の構造体と、前記複数の第１の構造体の間に形成された第１の空間部とを有する第１の支持体と、
隣り合う前記複数の第１の構造体間にそれぞれ配置され前記導体層と前記電極基板との間を接続する複数の第２の構造体と、前記複数の第２の構造体の間に形成された第２の空間部とを有する第２の支持体と
を具備する入力装置。
【請求項１４】
請求項１２に記載の入力装置であって、
前記操作部材は、前記第２の面に形成される第２の導体層をさらに有し、
前記電極基板は、前記第１の導体層と前記第２の導体層との距離の変化をそれぞれ静電的に検出することが可能である
入力装置。
【請求項１５】
請求項１２又は１４に記載の入力装置であって、
前記操作部材は、表示部を含む
入力装置。
【請求項１６】
請求項１２又は１３に記載の入力装置であって、
前記操作部材は、複数のキー領域を含む
入力装置。
【請求項１７】
請求項１６に記載の入力装置であって、
前記電極基板は、前記複数の第１の電極線と前記複数の第２の電極線との交差領域に各々形成され、前記第１の導体層との相対距離に応じて容量が可変の複数の検出部をさらに有する
入力装置。
【請求項１８】
請求項１７に記載の入力装置であって、
前記電極基板に電気的に接続され、前記複数の検出部の出力に基づいて前記複数のキー領域各々に対する入力操作に関する情報を生成することが可能な制御部をさらに具備する
入力装置。
【請求項１９】
請求項１６〜１８のいずれか１つに記載の入力装置であって、
前記複数の第１の構造体各々は、前記複数のキー領域間の境界に沿って配置される
入力装置。
【請求項２０】
請求項１２〜１９のいずれか１つに記載の入力装置であって、
前記複数の第１の電極線各々は、前記複数の第２の電極線よりも前記操作部材側に配置された平板状の電極であり、
前記複数の第２の電極線各々は、複数の電極群を含む
入力装置。
【請求項２１】
ユーザによる操作を受け付ける第１の面と、前記第１の面の反対側の第２の面と、前記第２の面に形成される導体層とを有する変形可能なシート状の操作部材と、
前記第２の面に対向して配置される背面板と、
複数の第１の電極線と、前記複数の第１の電極線に対向して配置され前記第１の電極線と交差する複数の第２の電極線とを有し、前記操作部材と前記背面板の間に変形可能に配置された電極基板と、
前記操作部材と前記電極基板との間を接続する複数の第１の構造体を有する第１の支持体と、
前記背面板と前記電極基板との間を接続する複数の第２の構造体を有する第２の支持体と
を具備する入力装置。
【請求項２２】
請求項２１に記載の入力装置であって、
前記複数の第２の電極線各々は、前記複数の第１の電極線よりも前記背面板側に配置された平板状の電極であり、
前記複数の第１の電極線各々は、複数の電極群を含む
入力装置。
【請求項２３】
ユーザによる操作を受け付ける第１の面と、前記第１の面の反対側の第２の面とを有する変形可能なシート状の操作部材と、
前記第２の面に対向して配置される導体層と、
複数の第１の電極線と、前記複数の第１の電極線に対向して配置され前記複数の第１の電極線と交差する複数の第２の電極線とを有し、前記操作部材と前記導体層の間に変形可能に配置され、前記導体層との距離の変化を静電的に検出することが可能な電極基板と、
前記第操作部材と前記電極基板との間を接続する複数の第１の構造体と、前記複数の第１の構造体の間に形成された第１の空間部とを有する第１の支持体と、
隣り合う前記複数の第１の構造体間にそれぞれ配置され前記導体層と前記電極基板との間を接続する複数の第２の構造体と、前記複数の第２の構造体の間に形成された第２の空間部とを有する第２の支持体と、
前記電極基板に電気的に接続され、前記電極基板の出力に基づいて前記複数の操作部材各々に対する入力操作に関する情報を生成することが可能な制御部を有するコントローラと
を具備する電子機器。